(57)【特許請求の範囲】
【請求項１】
流体が噴射される噴射対象物を把持しながら搬送する第１の搬送手段及び第２の搬送手段と、該第１の搬送手段と第２の搬送手段との間にて前記噴射対象物を支持するプラテンと、プラテンに支持された前記噴射対象物上に流体を噴射して配置する噴射ヘッドと、少なくとも前記第１の搬送手段、前記第２の搬送手段及び前記噴射ヘッドを制御する制御手段とを備え、
前記第１の搬送手段と前記第２の搬送手段との配置距離よりも長い前記噴射対象物を少なくとも前記第１の搬送手段と前記第２の搬送手段とのいずれか一方によって搬送しながら前記プラテン上に位置する前記噴射対象物の領域に対して前記流体を噴射して配置する流体噴射装置であって、
前記制御手段は、
前記噴射対象物の先端側を前記第１の搬送手段にて把持し、前記噴射対象物の後端側を前記第２の搬送手段にて把持した状態にて前記プラテン上に位置する前記噴射対象物の領域に対して前記流体を噴射して配置する第１工程と、
該第１工程にて前記流体が噴射された領域と前記噴射対象物の先端との間に生じた前記流体が配置されていない領域をプラテン上に移動して前記流体を噴射して配置する第２工程と
を行うことを特徴とする流体噴射装置。
【請求項２】
前記制御手段は、前記第２工程において、前記流体が配置されていない領域の全体に対して一斉に前記流体を噴射して配置することを特徴とする請求項１記載の流体噴射装置。
【請求項３】
前記制御手段は、前記第２工程において、前記流体が配置されていない領域に対して前記後端側から複数回に分けて前記流体を配置することを特徴とする請求項１記載の流体噴射装置。
【請求項４】
流体が噴射される噴射対象物を把持しながら搬送する第１の搬送手段及び第２の搬送手段と、該第１の搬送手段と第２の搬送手段との間にて前記噴射対象物を支持するプラテンと、プラテンに支持された前記噴射対象物上に流体を噴射して配置する噴射ヘッドとを備える流体噴射装置を用いて、
前記第１の搬送手段と前記第２の搬送手段との配置距離よりも長い前記噴射対象物を少なくとも前記第１の搬送手段と前記第２の搬送手段とのいずれか一方によって搬送しながら前記プラテン上に位置する前記噴射対象物の領域に対して前記流体を噴射して配置する流体噴射方法であって、
前記噴射対象物の先端側を前記第１の搬送手段にて把持し、前記噴射対象物の後端側を前記第２の搬送手段にて把持した状態にて前記プラテン上に位置する前記噴射対象物の領域に対して前記流体を噴射して配置する第１工程と、
該第１工程にて前記流体が噴射された領域と前記噴射対象物の先端との間に生じた前記流体が配置されていない領域をプラテン上に移動して前記流体を噴射して配置する第２工程と
を有することを特徴とする流体噴射方法。
【発明の詳細な説明】
【技術分野】
【０００１】
本発明は、流体噴射装置及び方法に関するものである。
【背景技術】
【０００２】
従来から、インクジェットプリンタ等の流体噴射装置では、流体を噴射可能な噴射ヘッドからプラテンに支持された記録紙等の噴射対象物に流体を噴射して配置している。
【０００３】
このような流体噴射装置では、噴射ヘッドから噴射対象物までの距離が変動すると、流体の飛翔距離が変化して噴射対象物への良好な流体の配置が行えなくなる。このため、流体噴射装置がインクジェットプリンタである場合には、流体であるインクの記録紙への配置不良が生じ、印刷不良が発生することとなる。
【０００４】
したがって、流体噴射装置においては、噴射ヘッドから噴射対象物までの距離を一定とすべく、噴射対象物をできるだけプラテンから離間させないことが好ましい。
そこで従来では、単一のニップ部を形成する一対のローラを傾けて配置することで、噴射対象物をプラテン表面に対して角度をつけて搬送し、これにより、噴射対象物をプラテンの表面に向けて付勢して噴射対象物をできるだけプラテンから離間させない方法や押え板によって噴射対象物をできるだけプラテンから離間させない方法が用いられている。
【特許文献１】特開平９−４８１６１号公報
【発明の開示】
【発明が解決しようとする課題】
【０００５】
ところで、流体噴射装置では、ローラ対がプラテンを挟んで配置されており、これらのローラ対によって噴射対象物を搬送しながら噴射対象物上に流体を噴射して配置する。このような構成を採用するため、噴射対象物の先端近傍の領域に流体を噴射する場合には、噴射対象物の先端側が、搬送方向の下流に位置するローラ対のニップ部に挟み込まれていない状態となる。このため、噴射対象物の先端近傍の領域へ流体を噴射する場合には、噴射対象物がプラテンから離間されやすくなり、流体の配置不良が生じる虞が高くなる。
特に噴射対象物が記録紙である場合には、全体的に湾曲等の形状変化をしている場合が多く、このような全体的な形状変化に起因して先端近傍の領域がプラテンから離間しやすく、印刷不良が生じやすい。
【０００６】
本発明は、上述する問題点に鑑みてなされたもので、流体噴射装置及び方法において、噴射対象物の先端近傍の領域に対して流体を良好に配置することを目的とする。
【課題を解決するための手段】
【０００７】
上記目的を達成するために、本発明の流体噴射装置は、流体が噴射される噴射対象物を把持しながら搬送する第１の搬送手段及び第２の搬送手段と、該第１の搬送手段と第２の搬送手段との間にて上記噴射対象物を支持するプラテンと、プラテンに支持された上記噴射対象物上に流体を噴射して配置する噴射ヘッドと、少なくとも上記第１の搬送手段、上記第２の搬送手段及び上記噴射ヘッドを制御する制御手段とを備え、上記第１の搬送手段と上記第２の搬送手段との配置距離よりも長い上記噴射対象物を少なくとも上記第１の搬送手段と上記第２の搬送手段とのいずれか一方によって搬送しながら上記プラテン上に位置する上記噴射対象物の領域に対して上記流体を噴射して配置する流体噴射装置であって、上記制御手段が、上記噴射対象物の先端側を上記第１の搬送手段にて把持し、上記噴射対象物の後端側を上記第２の搬送手段にて把持した状態にて上記プラテン上に位置する上記噴射対象物の領域に対して上記流体を噴射して配置する第１工程と、該第１工程にて上記流体が噴射された領域と上記噴射対象物の先端との間に生じた上記流体が配置されていない領域をプラテン上に移動して上記流体を噴射して配置する第２工程とを行うことを特徴とする。
【０００８】
このような特徴を有する本発明の流体噴射装置によれば、先の第１工程にて噴射対象物の先端側及び後端側が搬送手段によって把持された状態で流体の噴射及び配置が行われる。つまり、先に噴射対象物の中央部に流体が配置される。
続いて、第２工程にて、第１工程において生じた流体が噴射された領域と噴射対象物との先端との間に生じた流体が配置されていない領域（すなわち先端近傍の領域）に流体が噴射して配置される。つまり、噴射対象物の中央部に先に流体が配置された状態にて先端近傍の領域に流体が配置される。
このため、先に流体が噴射対象物の中央部に配置されることにより流体の重量によって噴射対象物が予め有する形状変化が抑えられ、先端近傍の領域をプラテン上に移動した際に、先端近傍の領域がプラテンから離間することを抑制することが可能となる。
よって、本発明の流体噴射装置によれば、噴射対象物の先端近傍の領域に対して流体を良好に配置することが可能となる。
【０００９】
また、本発明の流体噴射装置においては、上記制御手段は、上記第２工程において、上記流体が配置されていない領域の全体に対して一斉に上記流体を噴射して配置するという構成を採用する。
このような構成を採用する本発明の流体噴射装置によれば、短時間で噴射対象物の先端近傍の領域に流体を配置することが可能となる。
【００１０】
また、本発明の流体噴射装置においては、上記制御手段は、上記第２工程において、上記流体が配置されていない領域に対して上記後端側から複数回に分けて上記流体を配置するという構成を採用する。
噴射対象物の先端近傍の領域のなかで比較すると、流体の重量で押えられた中央部により近い後端側の方がプラテンから離間され難い。このため、先端近傍の領域を後端側から複数回に分けて流体を配置することによって、先端近傍の領域の形状変化を徐々に均しながら流体を配置することができる。
よって、本構成を採用する流体噴射装置によれば、噴射対象物の先端近傍の領域に対して流体をさらに良好に配置することが可能となる。
【００１１】
次に、本発明の流体噴射方法は、流体が噴射される噴射対象物を把持しながら搬送する第１の搬送手段及び第２の搬送手段と、該第１の搬送手段と第２の搬送手段との間にて上記噴射対象物を支持するプラテンと、プラテンに支持された上記噴射対象物上に流体を噴射して配置する噴射ヘッドとを備える流体噴射装置を用いて、上記第１の搬送手段と上記第２の搬送手段との配置距離よりも長い上記噴射対象物を少なくとも上記第１の搬送手段と上記第２の搬送手段とのいずれか一方によって搬送しながら上記プラテン上に位置する上記噴射対象物の領域に対して上記流体を噴射して配置する流体噴射方法であって、上記噴射対象物の先端側を上記第１の搬送手段にて把持し、上記噴射対象物の後端側を上記第２の搬送手段にて把持した状態にて上記プラテン上に位置する上記噴射対象物の領域に対して上記流体を噴射して配置する第１工程と、該第１工程にて上記流体が噴射された領域と上記噴射対象物の先端との間に生じた上記流体が配置されていない領域をプラテン上に移動して上記流体を噴射して配置する第２工程とを有することを特徴とする。
【００１２】
このような特徴を有する本発明の流体噴射装置によれば、本発明の流体噴射装置と同様に、先の第１工程にて噴射対象物の先端側及び後端側が搬送手段によって把持された状態で流体の噴射及び配置が行われる。つまり、先に噴射対象物の中央部に流体が配置される。
続いて、第２工程にて、第１工程において生じた流体が噴射された領域と噴射対象物との先端との間に生じた流体が配置されていない領域（すなわち先端近傍の領域）に流体が噴射して配置される。つまり、噴射対象物の中央部に先に流体が配置された状態にて先端近傍の領域に流体が配置される。
このため、先に流体が噴射対象物の中央部に配置されることにより流体の重量によって噴射対象物が予め有する形状変化が抑えられ、先端近傍の領域をプラテン上に移動した際に、先端近傍の領域がプラテンから離間することを抑制することが可能となる。
よって、本発明の流体噴射方法によれば、噴射対象物の先端近傍の領域に対して流体を良好に配置することが可能となる。
【発明を実施するための最良の形態】
【００１３】
以下、図面を参照して、本発明に係る流体噴射装置の一実施形態について説明する。
なお、以下の説明においては、本発明に係る流体噴射装置の一例として、インク等の流体を記録ヘッド（噴射ヘッド）から噴射対象物である記録紙に噴射して、記録紙に対する印刷（記録）を行うインクジェットプリンタを挙げて説明する。
また、以下の図面においては、各部材を認識可能な大きさとするために、各部材の縮尺を適宜変更している。
【００１４】
（第１実施形態）
図１〜図４は、本実施形態のインクジェットプリンタＰの概略構成を示す図であり、図１がインクジェットプリンタＰの内部構成を示す斜視図、図２がインクジェットプリンタＰの内部構成を示す平面図、図３がインクジェットプリンタＰの内部構成を示す断面図（記録紙Ｘの搬送方向沿う断面図）、図４が電気的な接続を示す模式図である。
図１及び図２に示すように、インクジェットプリンタＰは、記録紙Ｘ（噴射対象物）にインク（流体）を噴射して配置することにより記録紙Ｘに対する印刷（記録）を行うキャリッジユニット１と、記録紙Ｘを給紙する給紙ユニット２と、該給紙ユニット２によって給紙された記録紙Ｘを搬送する記録紙搬送ユニット３とを備えている。
【００１５】
キャリッジユニット１は、インクを噴射する記録ヘッド４（噴射ヘッド）と、該記録ヘッド４を支持するキャリッジ５と、該キャリッジ５を記録紙Ｘの搬送方向（副走査方向）と直交する平面方向（走査方向）に移動するキャリッジ駆動装置６（図４参照）とを備える。
【００１６】
記録ヘッド４は、インクを噴射するためのノズルを複数備えており、内部に形成された駆動素子（例えばピエゾ素子）により、ノズルを介してインクを噴射するものである。この記録ヘッド４は、後述するプラテン１１に支持された記録紙Ｘ上にインクを噴射して配置する。
キャリッジ５には、不図示のインクカートリッジが搭載され、該インクカートリッジから記録ヘッド４にインクの供給が行われる。
キャリッジ駆動装置６は、図４に示すように、駆動プーリ６ａと、従動プーリ６ｂと、これらの駆動プーリ６ａ及び従動プーリ６ｂに回し掛けられると共にキャリッジ５に一部が固定される無端ベルト６ｃと、キャリッジ５の移動を案内するキャリッジ軸６ｄとを有している。そして、キャリッジ駆動装置６の駆動プーリ６ａの駆動により無端ベルト６ｃを移動させることによって、キャリッジ５がキャリッジ軸６ｄに沿って走査方向に移動する。
また、キャリッジユニット１は、キャリッジモータ１ａ（図４参照）を備えている。そして、当該キャリッジモータ１ａから、駆動プーリ６ａに駆動力が伝達される。
【００１７】
給紙ユニット２は、図３に示すように、複数の記録紙Ｘを積層して配置可能な給紙カセット７と、該給紙カセット７に積層して配置された記録紙Ｘを１枚のみピックアップして給紙する給紙ローラ８と、該給紙ローラ８にて給紙された記録紙Ｘを検出する記録紙検出センサ９とを備える。
給紙カセット７は、インクジェットプリンタＰの後ろ上方に向けて斜めに延在されており、記録紙Ｘを斜めに設置可能とする。
給紙ローラ８は、図３に示すように、回転方向において一部に切欠きが形成された駆動ローラであり、切欠きのない周面にて記録紙Ｘをピックアップして給紙するものである。なお、給紙ローラへは、後述の記録紙搬送ユニット３が備える搬送モータ３ａから伝達ギアを介して駆動力が伝達される。
記録紙検出センサ９は、検出レバー９ａと、回動軸９ｂを中心として回動可能に支持されるセンサ本体部９ｃとを備えている。また、記録紙検出センサ９は、検出レバー９ａの上方に配置され、発光部（不図示）からの光を受光する受光部（不図示）を備えている。そして、記録紙Ｘの通過に伴って検出レバー９ａが上方に押し上げられるように回動することにより受光部に発光部からの光が受光され、記録紙Ｘの通過が完了すると検出レバー９ａが下方に戻るように回動することにより発光部からの光が遮断される。記録紙検出センサ９は、このように検出レバー９ａの回動動作により、発光部から受光部に向かう光の遮断及び通過を行うことにより、記録紙Ｘの検出を行う。
【００１８】
記録紙搬送ユニット３は、給紙ユニット２の給紙記録紙検出センサ９を通過した記録紙Ｘを搬送する紙送りローラ対１０（第２の搬送手段）と、該紙送りローラ対１０を通過した記録紙Ｘを下方から支持するプラテン１１と、該プラテン１１を通過した記録紙Ｘを排紙する排紙ローラ対１２（第１の搬送手段）とを備える。
紙送りローラ対１０は、回転駆動される紙送りローラ１０ａと、従動ローラ１０ｂとを有しており、紙送りローラ１０ａと従動ローラ１０ｂとによって形成されるニップ部にて記録紙Ｘを把持しながら搬送するものである。
プラテン１１は、キャリッジユニット１のキャリッジ５の下方において記録紙Ｘの幅方向の全長に対応して設けられている。このプラテン１１上において記録紙Ｘに対してキャリッジ５によって支持された記録ヘッド４からインクが噴射される。
排紙ローラ対１２は、回転駆動される排紙ローラ１２ａと、従動ローラ１０ｂとを有しており、排紙ローラ１２ａと従動ローラ１２ｂとによって形成されるニップ部にて記録紙Ｘを把持しながら搬送するものである。
なお、記録紙搬送ユニット３は、搬送モータ３ａ（図４参照）を備えている。そして、当該搬送モータ３ａから、伝達ギア３ｂを介して紙送りローラ１０ａと排紙ローラ１２ｂとに駆動力が伝達される。
【００１９】
そして、本実施形態のインクジェットプリンタＰにおいては、紙送りローラ対１０と排紙ローラ対１２との離間距離は、記録紙Ｘの搬送方向の長さよりも短く設定されている。そして、少なくとも紙送りローラ対１０及び排紙ローラ対１２のいずれか一方に記録紙Ｘが把持された状態で搬送されることによって記録紙Ｘがプラテン１１上を移動する。そして、このように紙送りローラ対１０及び排紙ローラ対１２によって記録紙Ｘが搬送されながら、プラテン１１上に位置する記録紙Ｘの領域に対して記録ヘッド４からインクが噴射されることによって上記領域にインクが配置される。
【００２０】
また、図１及び図２に示すように、本実施形態のインクジェットプリンタＰは、記録ヘッド４のメンテナンスを行うメンテナンス装置１３を備えている。
このメンテナンス装置１３は、記録ヘッド４に対するフラッシング処理、吸引処理、ワイピング処理、及びキャッピング処理等のメンテナンス処理を行うものであり、キャリッジ５の走査方向の端部に配置されている。
【００２１】
さらに、図４に示すように、本実施形態のインクジェットプリンタＰは、制御部２０（制御手段）を備えている。
制御部２０は、本実施形態のインクジェットプリンタＰの全体を制御するものであり、キャリッジユニット１と給紙ユニット２と記録紙搬送ユニット３とメンテナンス装置１３等と電気的に接続されている。
この制御部２０は、ＣＰＵ等の演算処理装置、ＲＯＭやＲＡＭ等の記憶装置を備え、例えば外部から供給される印刷データ等に基づいて、記録ヘッド４、キャリッジモータ１ａ、搬送モータ３ａを制御する。なお、紙送りローラ対１０及び排紙ローラ対１２は、搬送モータ３ａを介して制御部２０によって制御される。
【００２２】
そして、本実施形態のインクジェットプリンタＰにおいて制御部２０は、１枚の記録紙Ｘに対して印刷を行う場合に、記録紙Ｘの先端側を排紙ローラ対１２にて把持し、記録紙Ｘの後端側を紙送りローラ対１０にて把持した状態にてプラテン１１上に位置する記録紙Ｘの領域に対して記録ヘッド４からインクを噴射して配置する第１工程と、該第１工程にてインクが噴射された領域と記録紙Ｘの先端との間に生じたインクが配置されていない領域をプラテン１１上に移動してインクを噴射して配置する第２工程とを行う。
【００２３】
次に、このように構成された本実施形態のインクジェットプリンタＰの動作（流体噴射方法）について説明する。なお、本動作の説明において、動作の主体は制御部２０である。
【００２４】
まず給紙ユニット２の給紙カセット７に複数の記録紙Ｘが積層して配置された状態にて、給紙ユニット２の給紙ローラ８が回転駆動され、これによって給紙カセット７に積層して配置された記録紙Ｘの最上部の１枚の記録紙Ｘのみがピックアップされて給紙される。
給紙ローラ８の回転駆動により給紙された記録紙Ｘは、記録紙検出センサ９を通過する。この際、記録紙検出センサ９は、記録紙Ｘの存在を検出し、その検出結果を制御部２０に入力する。
【００２５】
記録紙検出センサ９を通過した記録紙Ｘは、記録紙搬送ユニット３の紙送りローラ対１０によってプラテン１１上に搬送される。
そして、プラテン１１上に記録紙Ｘが搬送されると、記録紙Ｘに対してキャリッジユニット１の記録ヘッド４からインクが噴射され、これによって印刷が行われる。なお、記録ヘッド４からインクを噴射する際には、記録紙検出センサ９の検出結果、印刷データ等に基づいて、記録ヘッド４を支持するキャリッジ５が走査方向に移動されながら、記録紙Ｘの所望の箇所に記録ヘッド４から噴射されたインクが配置されるように、記録ヘッド４からのインクの噴射タイミングが制御される。
【００２６】
ここで、本実施形態のインクジェットプリンタＰにおいては、記録紙Ｘが記録紙搬送ユニット３に給紙されると、記録紙Ｘの先端側を排紙ローラ対１２にて把持し、記録紙Ｘの後端側を紙送りローラ対１０にて把持した状態にてプラテン１１上に位置する記録紙Ｘの領域に対して記録ヘッド４からインクを噴射して配置する第１工程が行われる。
より詳細には、記録紙搬送ユニット３に給紙された記録紙Ｘは、紙送りローラ対１０のニップ部に把持されて紙送りローラ１０ａの回転駆動によって移動され、図５に示すように、先端Ｘ１が排紙ローラ対１２を越えて先端側に排紙ローラ対１２に把持され、後端が紙送りローラ対１０に把持された状態で停止される。そして、このように記録紙Ｘの先端側が排紙ローラ対１２にて把持され、記録紙Ｘの後端側が紙送りローラ対１０にて把持された状態にて、プラテン１１上に位置する記録紙Ｘの領域（すなわち中央部）に対してインクが噴射されて配置される。
【００２７】
続いて、本実施形態のインクジェットプリンタＰにおいては、上述の第１工程が完了すると、第１工程にてインクが噴射された領域と記録紙Ｘの先端Ｘ１との間に生じたインクが配置されていない領域Ａ（すなわち先端近傍の領域）を図６に示すようにプラテン１１上に移動してインクを噴射して配置する第２工程を行う。
より詳細には、第１工程が行われた記録紙Ｘは、排紙ローラ対１２の排紙ローラ１２ａ及び紙送りローラ対１０の紙送りローラ１０ａが逆回転されることによって、インクが配置されていない領域Ａをプラテン１１上に移動する。そして、このように記録紙Ｘのインクが配置されていない領域Ａがプラテン１１上に位置状態にてインクを噴射することで領域Ａにインクを配置する。
この際、先の第１工程において記録紙Ｘの中央部にインクが配置されているため、記録紙Ｘの中央部がインクの重量によって平坦化される（形状変化が抑えられる）ことから、記録紙Ｘの先端近傍の領域Ａが中央部に倣って平坦化し、プラテンから離間することを抑制することができる。したがって、記録紙Ｘの先端近傍の領域Ａに対してインクを良好に配置することが可能となる。
【００２８】
また、本実施形態のインクジェットプリンタＰにおいては、記録紙Ｘの先端近傍の領域Ａの全体に対して一斉にインクを噴射して配置する。なお、ここでの一斉にインクを噴射するとは、キャリッジ５が一回走査される間にインクを噴射することを意味する。そして、このような領域Ａに一斉にインクを噴射して配置する工程は、複数回行われても良い。
【００２９】
なお、上記第１工程及び第２工程が完了すると、記録紙Ｘは、インクが配置された中央部がプラテン１１を超える箇所まで搬送され、中央部より後端側の印刷が行われる。
【００３０】
以上のような本実施形態のインクジェットプリンタＰ及び該インクジェットプリンタＰによるインクの噴射方法によれば、先の第１工程にて記録紙Ｘの先端側及び後端側が排紙ローラ対１２及び紙送りローラ対１０によって把持された状態でインクの噴射及び配置が行われる。つまり、先に記録紙Ｘの中央部にインクが配置される。
続いて、第２工程にて、第１工程において生じたインクが噴射された領域と記録紙Ｘとの先端Ｘ１との間に生じたインクが配置されていない領域Ａにインクが噴射して配置される。つまり、記録紙Ｘの中央部に先にインクが配置された状態にて先端近傍の領域Ａにインクが配置される。
このため、先にインクが記録紙Ｘの中央部に配置されることによりインクの重量によって記録紙Ｘが予め有する形状変化が抑えられ、先端近傍の領域Ａをプラテン１１上に移動した際に、先端近傍の領域Ａがプラテン１１から離間することを抑制することが可能となる。
よって、本実施形態のインクジェットプリンタＰ及び該インクジェットプリンタＰによるインクの噴射方法によれば、記録紙Ｘの先端近傍の領域Ａに対してインクを良好に配置することが可能となる。
【００３１】
また、本実施形態のインクジェットプリンタＰにおいては、第２工程において、記録紙Ｘのインクが配置されていない領域Ａの全体に対して一斉にインクを噴射して配置するという構成を採用する。
このような構成を採用する本実施形態のインクジェットプリンタＰによれば、短時間で記録紙Ｘの先端近傍の領域Ａにインクを配置することが可能となる。
【００３２】
（第２実施形態）
次に、本発明の第２実施形態について説明する。なお、本第２実施形態の説明において、上記第１実施形態と同様の部分については、その説明を省略あるいは簡略化する。
【００３３】
本実施形態のインクジェットプリンタにおいて制御部２０は、第２工程において、インクが配置されていない領域Ａに対して記録紙Ｘの後端側から複数回（本実施形態においては２回）に分けてインクを配置する。
【００３４】
このような構成を有する本実施形態のインクジェットプリンタにおいては、第２工程において、排紙ローラ対１２の排紙ローラ１２ａ及び紙送りローラ対１０の紙送りローラ１０ａを逆回転することによって、図７に示すように領域Ａのうち、後端側の半分をインクが配置可能な領域まで戻し、この半分の領域Ａ１にインクを配置する。そして、このように領域Ａ１にインクが配置されると、さらに排紙ローラ対１２の排紙ローラ１２ａ及び紙送りローラ対１０の紙送りローラ１０ａを逆回転することによって、図８に示すように領域Ａの残りの領域Ａ２をインクが配置可能な領域に戻し、この領域Ａ２にインクを配置する。
【００３５】
記録紙Ｘの先端近傍の領域Ａのなかで比較すると、インクの重量で押えられた中央部により近い後端側の方がプラテン１１から離間され難い。このため、先端近傍の領域Ａを後端側から複数回に分けて流体を配置することによって、先端近傍の領域Ａの形状変化を徐々に均しながらインクを配置することができる。
よって、本実施形態のインクジェットプリンタによれば、記録紙Ｘの先端近傍の領域Ａに対してインクをさらに良好に配置することが可能となる。
【００３６】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００３７】
例えば、上記第２実施形態においては、記録紙Ｘの先端近傍の領域Ａを後端側から２回に分けてインクを配置する構成について説明した。
しかしながら、本発明はこれに限定されるものではなく、記録紙Ｘの先端近傍の領域Ａを後端側から３回以上に分けてインクを配置しても良い。
【００３８】
また、上述の各実施形態においては、流体噴射装置がインクを流体として噴射するインクジェットプリンタである場合を例にして説明したが、流体噴射装置は、インクジェットプリンタに限られず、インクジェット方式の複写機及びファクシミリ等に適用することもできる。
また、本発明の流体噴射装置は、インク以外の他の流体を噴射する流体噴射装置に適用することができる。流体噴射装置が噴射可能な流体は、液体、機能材料の粒子が分散又は溶解されている液状体、ジェル状の流状体、流体として流して噴射できる固体、及び粉体（トナー等）を含む。また、本発明の流体噴射装置は、記録紙Ｘ以外の噴射対象物に流体を噴射する流体噴射装置に適用することができる。
【００３９】
例えば、本発明の流体噴射装置は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した流体を噴射する流体噴射装置に適用可能である。
また、本発明の流体噴射装置は、バイオチップ製造に用いられる生体有機物を噴射する流体噴射装置、精密ピペットとして用いられ試料となる流体を噴射する流体噴射装置に適用可能である。
【００４０】
さらに、本発明の流体噴射装置は、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ジェルを噴射する流状体噴射装置、トナーなどの粉体を例とする固体を噴射するトナージェット式記録装置に適用可能である。
【図面の簡単な説明】
【００４１】
【図１】本発明の第１実施形態におけるインクジェットプリンタの内部の概略構成を示す斜視図である。
【図２】本発明の第１実施形態におけるインクジェットプリンタの内部の概略構成を示す平面図である。
【図３】本発明の第１実施形態におけるインクジェットプリンタの内部の概略構成を示す断面図である。
【図４】本発明の第１実施形態におけるインクジェットプリンタの電気的な接続を示す図である。
【図５】本発明の第１実施形態におけるインクジェットプリンタの動作を説明するための模式図である。
【図６】本発明の第１実施形態におけるインクジェットプリンタの動作を説明するための模式図である。
【図７】本発明の第２実施形態におけるインクジェットプリンタの動作を説明するための模式図である。
【図８】本発明の第２実施形態におけるインクジェットプリンタの動作を説明するための模式図である。
【符号の説明】
【００４２】
Ｐ……インクジェットプリンタ（流体噴射装置）、１０……紙送りローラ対（第２の搬送手段）、１１……プラテン、１２……排紙ローラ対（第１の搬送手段）、２……制御部（制御手段）、Ａ……先端近傍の領域、Ｘ……記録紙（噴射対象物）、Ｘ１……先端
【図１】
0004985496.tif 000002
【図２】
0004985496.tif 000003
【図３】
0004985496.tif 000004
【図４】
0004985496.tif 000005
【図５】
0004985496.tif 000006
【図６】
0004985496.tif 000007
【図７】
0004985496.tif 000008
【図８】
0004985496.tif 000009